(57)【要約】【課題】通過周波数範囲が固定のＢＰＦを用いることができ、ストローブ生成時の残留ジッタを抑圧する。【解決手段】トリガ回路２は、動作可能な周波数範囲内で入力されるトリガクロックを任意の周波数で出力するＤＤＳ１２と、ＤＤＳ１２から出力されるトリガクロックの通過帯域を制限するＢＰＦ１３と、ＢＰＦ１３で通過帯域が制限されたトリガクロックを分周する可変分周器１４とを含む。ストローブ生成時は、ＢＰＦ１３の通過周波数範囲をオクターブ未満に固定し、ＤＤＳ１２のＦＴＷの分母の値を２のべき乗として、ＢＰＦ１３の中心周波数をＤＤＳ１２の入力周波数で除した値と近似するようにＦＴＷの値を設定し、可変分周器１４の分周比をパターン長の倍数、かつＤＤＳ１２で設定される分周比の分子の値の倍数に設定する。【選択図】図１
2018137681.tif 000002
【特許請求の範囲】
【請求項１】
動作可能な周波数範囲内で入力されるトリガクロックを任意の周波数で出力するダイレクト・デジタル・シンセサイザ（１２）と、
前記ダイレクト・デジタル・シンセサイザから出力されるトリガクロックの通過帯域を制限するバンドパスフィルタ（１３）と、
前記バンドパスフィルタで通過帯域が制限されたトリガクロックを分周する可変分周器（１４）とを含み、前記ダイレクト・デジタル・シンセサイザの位相シフト機能を用いてストローブ信号を発生するトリガ回路（２）において、
前記バンドパスフィルタの通過周波数範囲がオクターブ未満に固定され、
前記ダイレクト・デジタル・シンセサイザの周波数チューニングワードの分母の値を２のべき乗とし、
前記バンドパスフィルタの中心周波数を前記ダイレクト・デジタル・シンセサイザの入力周波数で除した値と近似するように前記周波数チューニングワードの値を設定し、
前記可変分周器の分周比をパターン長の倍数、かつ前記ダイレクト・デジタル・シンセサイザで設定される分周比の分子の値の倍数に設定することを特徴とするトリガ回路。
【請求項２】
動作可能な周波数範囲内で入力されるトリガクロックを任意の周波数で出力するダイレクト・デジタル・シンセサイザ（１２）と、
前記ダイレクト・デジタル・シンセサイザから出力されるトリガクロックの通過帯域を制限するバンドパスフィルタ（１３）と、
前記バンドパスフィルタで通過帯域が制限されたトリガクロックを分周する可変分周器（１４）とを含むトリガ回路（２）の前記ダイレクト・デジタル・シンセサイザの位相シフト機能を用いてストローブ信号を発生するトリガ発生方法において、
前記バンドパスフィルタの通過周波数範囲をオクターブ未満に固定するステップと、
前記ダイレクト・デジタル・シンセサイザの周波数チューニングワードの分母の値を２のべき乗とし、前記バンドパスフィルタの中心周波数を前記ダイレクト・デジタル・シンセサイザの入力周波数で除した値と近似するように前記周波数チューニングワードの値を設定するステップと、
前記可変分周器の分周比をパターン長の倍数、かつ前記ダイレクト・デジタル・シンセサイザで設定される分周比の分子の値の倍数に設定するステップとを含むことを特徴とするトリガ発生方法。
【請求項３】
請求項１のトリガ回路（２）から出力される前記ストローブ信号に基づくサンプリングタイミングでサンプラ（３）によりデータをシーケンシャル・サンプリングすることを特徴とするサンプリングオシロスコープ。
【請求項４】
請求項２のトリガ発生方法から出力される前記ストローブ信号に基づくサンプリングタイミングでサンプラ（３）によりデータをシーケンシャル・サンプリングするステップを含むことを特徴とするサンプリング方法。
【発明の詳細な説明】
【技術分野】
【０００１】
本発明は、データをサンプリングするサンプラのサンプリングタイミングを生成するトリガ回路及びトリガ発生方法と、サンプラによるサンプリングデータに基づく波形を表示するサンプリングオシロスコープ及びサンプリング方法に関する。
【背景技術】
【０００２】
例えば下記特許文献１には、ダイレクト・デジタル・シンセサイザ（ＤＤＳ：Direct Digital Synthesizer）とプログラマブルカウンタを用いて生成されるストローブ信号によりサンプラにてパターン信号をサンプリングする技術が開示されている。
【先行技術文献】
【特許文献】
【０００３】
【特許文献１】米国特許第７２８４１４１号明細書
【発明の概要】
【発明が解決しようとする課題】
【０００４】
ところで、ＤＤＳは、ＦＴＷ（周波数チューニングワード）を設定することで比較的任意の周波数を出力することができる便利なＩＣであるが、原理上かならずイメージ成分及び高調波成分といった不要波成分が重畳されてしまう。このため、基本的には不要波成分除去を目的としてＢＰＦやＬＰＦを接続するのが一般的である。上記特許文献１には、ＤＤＳの次段にＬＰＦを接続した構成が開示されている。
【０００５】
ここで、ＢＰＦによる制約を考えない場合、例えば上記特許文献１のようにＬＰＦを挿入した構成では、最大出力可能周波数を入力周波数の１／４と設計上決めておけば、最も大きな不要波となるイメージ成分はその制約下においてはＬＰＦにて除去可能であるため、最初に決定した最大周波数のみが制約となる。また、ＤＤＳから例えば１／８以下となる周波数を出力すると予め確定させておけば、ＦＴＷにはある程度の柔軟性があり、例えば１／８×８１９１／８１９２といった分周比を設定することが可能であった。
【０００６】
ところで、サンプリングオシロスコープでは、波形を測定するためのサンプリング方式として、ランダム・サンプリングとシーケンシャル・サンプリングが知られている。ここで、本発明に関連するシーケンシャル・サンプリングの場合、残留ジッタを改善することを考えると、不要波成分を除去し、信号波成分のみを取り出すために、ＤＤＳ出力にＱ値が高く急峻なフィルタ特性を有するＢＰＦを用いることが期待されるが、そのためにはＤＤＳ出力周波数をある出力範囲に固定する必要がある。一方で、サンプリング用クロックが外部から供給され、対応周波数が範囲を持つ場合は、ＤＤＳ入力周波数が変化するため、ＤＤＳ出力も変化してしまう。このため、Ｑ値が高く急峻なフィルタ特性を有する通過周波数範囲が固定のＢＰＦを使用することができないという問題があった。
【０００７】
尚、上述した従来の特許文献１に開示される装置では、ＤＤＳの設定を固定して使用しており、ＬＰＦにはある程度の範囲を許容した回路を採択する必要があった。その結果、ＤＤＳ出力の不要波成分が除去しきれず残留ジッタが大きくなるという問題があった。
【０００８】
そこで、本発明は上記問題点に鑑みてなされたものであって、通過周波数範囲が固定のバンドパスフィルタを用い、ストローブ信号を生成する際の残留ジッタを抑圧することができるトリガ回路及びトリガ発生方法とサンプリングオシロスコープ及びサンプリング方法を提供することを目的としている。
【課題を解決するための手段】
【０００９】
上記目的を達成するため、本発明の請求項１に記載されたトリガ回路は、動作可能な周波数範囲内で入力されるトリガクロックを任意の周波数で出力するダイレクト・デジタル・シンセサイザ１２と、
前記ダイレクト・デジタル・シンセサイザから出力されるトリガクロックの通過帯域を制限するバンドパスフィルタ１３と、
前記バンドパスフィルタで通過帯域が制限されたトリガクロックを分周する可変分周器１４とを含み、前記ダイレクト・デジタル・シンセサイザの位相シフト機能を用いてストローブ信号を発生するトリガ回路２において、
前記バンドパスフィルタの通過周波数範囲がオクターブ未満に固定され、
前記ダイレクト・デジタル・シンセサイザの周波数チューニングワードの分母の値を２のべき乗とし、
前記バンドパスフィルタの中心周波数を前記ダイレクト・デジタル・シンセサイザの入力周波数で除した値と近似するように前記周波数チューニングワードの値を設定し、
前記可変分周器の分周比をパターン長の倍数、かつ前記ダイレクト・デジタル・シンセサイザで設定される分周比の分子の値の倍数に設定することを特徴とする。
【００１０】
請求項２に記載されたトリガ発生方法は、動作可能な周波数範囲内で入力されるトリガクロックを任意の周波数で出力するダイレクト・デジタル・シンセサイザ１２と、
前記ダイレクト・デジタル・シンセサイザから出力されるトリガクロックの通過帯域を制限するバンドパスフィルタ１３と、
前記バンドパスフィルタで通過帯域が制限されたトリガクロックを分周する可変分周器１４とを含みトリガ回路２の前記ダイレクト・デジタル・シンセサイザの位相シフト機能を用いてストローブ信号を発生するトリガ発生方法において、
前記バンドパスフィルタの通過周波数範囲をオクターブ未満に固定するステップと、
前記ダイレクト・デジタル・シンセサイザの周波数チューニングワードの分母の値を２のべき乗とし、前記バンドパスフィルタの中心周波数を前記ダイレクト・デジタル・シンセサイザの入力周波数で除した値と近似するように前記周波数チューニングワードの値を設定するステップと、
前記可変分周器の分周比をパターン長の倍数、かつ前記ダイレクト・デジタル・シンセサイザで設定される分周比の分子の値の倍数に設定するステップとを含むことを特徴とする。
【００１１】
請求項３に記載されたサンプリングオシロスコープは、請求項１のトリガ回路２から出力される前記ストローブ信号に基づくサンプリングタイミングでサンプラ３によりデータをシーケンシャル・サンプリングすることを特徴とする。
【００１２】
請求項４に記載されたサンプリング方法は、請求項２のトリガ発生方法から出力される前記ストローブ信号に基づくサンプリングタイミングでサンプラ３によりデータをシーケンシャル・サンプリングするステップを含むことを特徴とする。
【発明の効果】
【００１３】
本発明によれば、Ｑ値が高く急峻なフィルタ特性を有する通過周波数範囲が固定のバンドパスフィルタを用いることができ、最適なフィルタ設計及び設定が可能となり、残留ジッタを抑圧することができる。そして、残留ジッタを抑圧するので、サンプラのスイッチング動作のタイミングずれを低減でき、より正確なデータのサンプリングを行うことができる。
【図面の簡単な説明】
【００１４】
【図１】本発明に係るトリガ回路を含むサンプリングオシロスコープのブロック構成図である。
【図２】本発明において、横軸を周波数、縦軸を振幅とするバンドパスフィルタ特性と、各信号との関係を示す図である。
【図３】本発明に係るトリガ発生方法とサンプリング方法の概略を示すフローチャートである。
【発明を実施するための形態】
【００１５】
以下、本発明を実施するための形態について、添付した図面を参照しながら詳細に説明する。
【００１６】
図１に示すように、本実施の形態のサンプリングオシロスコープ１は、観測対象となる広帯域・高速の信号の波形表示を行うもので、トリガ回路２、サンプラ３、Ａ／Ｄ変換器４、表示部５、制御部６を備えて概略構成される。
【００１７】
トリガ回路２は、サンプラ３のサンプリングタイミングとして用いられるストローブ信号を生成する回路であり、周波数変換部１１、ダイレクト・デジタル・シンセサイザ（ＤＤＳ）１２、バンドパスフィルタ（ＢＰＦ）１３、可変分周器１４を含んで構成される。
【００１８】
周波数変換部１１は、トリガ回路２の初段に位置し、可変分周器１１ａと周波数逓倍回路１１ｂを備え、次段に位置するＤＤＳ１２が動作可能な入力周波数範囲（図２のＤＤＳ１２の入力周波数範囲Ｈ１）に外部から供給されるトリガクロック（例えば矩形波や正弦波）の周波数（図２のトリガ入力周波数Ｆｔ）を変換する。
【００１９】
尚、周波数変換部１１は、ＤＤＳ１２が動作可能な入力周波数範囲のトリガクロックが外部から入力される場合には省略することができる。この場合、外部からトリガクロックがＤＤＳ１２に直接入力される。
【００２０】
周波数変換部１１は、例えば、ＤＤＳ１２の動作周波数（図２のＤＤＳ１２入力可能範囲Ｈ１）を１．２５ＧＨｚ〜２．５ＧＨｚのオクターブ（２倍）の範囲と規定した場合、以下のように挙動する。
【００２１】
［例１」トリガクロックが１０ＧＨｚの場合には、可変分周器１１ａの分周比を４として２．５ＧＨｚをＤＤＳ１２に供給する。
［例２］トリガクロックが２．０ＧＨｚの場合には、可変分周器１１ａの分周比を１として２．０ＧＨｚをＤＤＳ１２に供給する。
［例３］トリガクロックが０．１ＧＨｚの場合には、周波数逓倍回路１１ｂにて１６逓倍して１．６ＧＨｚをＤＤＳ１２に供給する。
【００２２】
尚、ＤＤＳ１２の動作周波数範囲がオクターブ（２倍）の範囲であれば、分周比及び逓倍比は２のべき乗で対応可能となる。ここでは２のべき乗として計算する。
【００２３】
ＤＤＳ１２は、周波数変換部１１の次段に接続され、図２に示すように、周波数変換部１１にて入力可能範囲Ｈ１に入力周波数Ｆｉが調整され、周波数変換部１１にて周波数変換されたトリガクロックから、任意の波形や周波数（出力周波数Ｆｏ）をデジタル的に生成する。
【００２４】
ＢＰＦ１３は、ＤＤＳ１２の次段に接続され、ＤＤＳ１２から出力されるトリガクロックの通過帯域を制限する。ＢＰＦ１３は、図２に示すように、下側の遮断周波数がｆ０、上側の遮断周波数が２ｆ０未満に設定される。
【００２５】
可変分周器１４は、ＢＰＦ１３の次段に接続され、分周比が可変設定可能（例えば２〜２31）であり、サンプラ３のサンプリングタイミングを生成するためにトリガ回路２の最終段に設けられる。可変分周器１４は、図２に示すように、ＢＰＦ１３を通過したトリガクロックの周波数を、サンプラ３が動作可能範囲Ｈ２に調整する。
【００２６】
ここで、サンプラ３が駆動可能なサンプリングタイミングの周期（以下、ストローブ周期と言う）は一般的にｋＨｚオーダとなる。このため、ＤＤＳ１２とＢＰＦ１３の出力周波数Ｆｏにてサンプラ３を直接駆動することは現実的ではない。そのため、図２に示すように、最終段の可変分周器１４は、ＢＰＦ１３を通過したトリガクロックをサンプラ３が駆動可能な周波数まで周波数を分周し、サンプラ３のサンプリングタイミングとなるストローブ信号（ストローブ周波数Ｆｓ）を出力する。
【００２７】
サンプラ３は、トリガ回路２にて生成されるストローブ信号（ストローブ周波数Ｆｓ）をサンプリングタイミングとして例えば数百ｋＨｚでスイッチング動作（閉状態：例えば１０〜１００ｐｓｅｃ）し、外部から入力されるデータをサンプリングする。
【００２８】
尚、外部から入力されるデータは、例えば被測定物Ｗにテスト信号として入力される繰り返しパターンによる周期性を持つ既知のパターン信号である。この既知のパターン信号には、例えばＰＲＢＳ（Pseudo-random bit sequence：擬似ランダム・ビット・シーケンス）パターン、固定パターン、任意パターンによるプログラマブルパターン等がある。
【００２９】
Ａ／Ｄ変換器４は、サンプラ３にてサンプリングされたアナログ出力によるデータをディジタルのデータに変換する。
【００３０】
表示部５は、例えば本体に設けられる液晶表示器などで構成され、制御部６の制御により、データの波形や統計処理された測定結果などを表示する。
【００３１】
制御部６は、高い周波数で繰り返す波形を観測するため、トリガ回路２、サンプラ３、Ａ／Ｄ変換器４、表示部５を統括制御するもので、例えば周波数変換部１１、ＤＤＳ１１２、可変分周器１４の各部の分周比設定、可変分周器１１ａと周波数逓倍回路１１ｂの切替制御、Ａ／Ｄ変換部４にて変換されたデータの統計処理、表示部５への観測波形の表示制御などを行う。
【００３２】
次に、シーケンシャル・サンプリングの基本動作原理について説明する。シーケンシャル・サンプリングの場合、ランダム・サンプリングのようにＤＤＳ１２を周波数離調して使用するわけではなく、Ｐｈａｓｅ  Ｓｈｉｆｔ機能（位相シフト機能）を用いて対応する。ＤＤＳ１２は、内蔵のフェーズアキュムレータをＦＴＷ分だけ加算して構成されるが、このフェーズアキュムレータの値をＦＴＷ以外の値を用いた位相シフト機能により変更することで、出力信号の位相を変化させることができる。その基本動作は以下のようになる。
【００３３】
（１）トリガ回路２の周波数変換部１１、ＤＤＳ１２、可変分周器１４の分周比の組み合わせによって観測波形のパターン周期にトリガタイミングを同期させる（以下、パターンロックと呼ぶ）
（２）ＤＤＳ１２の位相シフト機能を用いて位相を徐々にずらしていき、データの観測波形を表示する。
【００３４】
ここで、初段の周波数変換部１１（可変分周器１１ａ）の分周比、ＤＤＳ１２の分周比、最終段の可変分周器１４の分周比をを以下のように変数で定義する。
【００３５】
初段の周波数変換部１１（可変分周器１１ａ）の分周比＝Ｐ（ここでＰ＝２n ：但し、ｎ＝０，１，２，３，・・・）
ＤＤＳ１２の分周比＝１／８（１／８固定とする) 
最終段の可変分周器１４の分周比＝Ｍ（Ｍはパターン長の倍数とする) 
【００３６】
外部から入力されるトリガクロックの周波数をＩ［Ｈｚ］とすると、ストローブ周波数ＦｓはＰ，Ｓ，Ｎを用いて、ストローブ周波数Ｆｓ［Ｈｚ］＝Ｉｎｐｕｔ×（１／Ｐ）×（１／８）×（１／Ｍ）と表記できる。
【００３７】
よって、ストローブ周期は、ストローブ周波数Ｆｓの逆数であるため、ストローブ周期［ｓ］＝１／（ストローブ周波数Ｆｓ）＝（１／Ｉ）×Ｐ×８×Ｍと表記できる。
【００３８】
ここで、観測波形データ信号とトリガ周波数は同期しており、かつ１：１の関係とする（同期は必須条件）。すなわち、Ｉ［ｂｉｔ／ｓ］の信号を観測しているとした場合、１ｂｉｔの時間幅は１／Ｉとなる。よって、上式よりストローブ周期は１ｂｉｔの時間を８×Ｐ×Ｍ倍したものとなる。
【００３９】
ここで、前提条件よりＭはパターン長の倍数である。よってストローブ周期もパターン長の倍数となる。すなわち、周期パターンの特定位相でストローブが発生することを意味する。
【００４０】
本実施の形態では、パターンのビット位置が固定、位相も固定となってしまうため、ＤＤＳ１２の位相シフト機能を用いて位相を動かす。ＤＤＳ１２の位相シフト量はＤＤＳ１２の出力周波数Ｆｏを基本として、例えば２14の位相分解能で位相を制御することができる。
【００４１】
ＤＤＳ１２の出力信号周期は、ＤＤＳ１２の出力信号周期［ｓ］＝（１／Ｉ）×Ｐ×８となる。そして、１４ｂｉｔの位相シフト機能を用いると、本周期の２14倍の分解能で位相を調整可能であるため、最小分解能は、以下のようになる。
【００４２】
最小分解能［ｓ］＝ＤＤＳ１２の出力信号周期／２14＝（１／Ｉ）×Ｐ×８×１／２14
＝（１／Ｉ）×Ｐ×１／２０４８
【００４３】
ここで、（１／Ｉ）は観測信号１ｂｉｔの時間である。よって、上式より位相分解能は、ＤＤＳ１２の位相シフト機能を用いることで１ＵＩを２０４８／Ｐサンプルで表現可能となる。
【００４４】
Ｐは初段の周波数変換部１１（可変分周器１１ａ）の分周比で２のべき乗である。よって、Ｐ＜２０４８であれば２０４８／Ｐは約分可能であり、１ＵＩを正数サンプルで表現できることになる。よって、ＤＤＳ１２の位相シフト機能を用いることで端数なくパターンを表示することが可能となる。
【００４５】
ところで、Ｑ値の高い急峻なフィルタ特性を有する通過周波数範囲が固定のＢＰＦ１３の適応を考えると、ＤＤＳ１２の出力周波数Ｆｏはオクターブ未満に制約される。一方で、ＤＤＳ１２の入力周波数Ｆｉはオクターブで変化する。よって、ＤＤＳ１２のＦＴＷを調整して出力周波数Ｆｏを制御するしかない。
【００４６】
そこで、本実施の形態では、図３に示すように、ＢＰＦ１３の通過周波数範囲をオクターブ未満に固定し（ＳＴ１）、ＤＤＳ１２の出力周波数ＦｏがＢＰＦ１３の中心周波数と略一致するようにＤＤＳ１２の周波数チューニングワード（ＦＴＷ）を設定する、具体的に、ＦＴＷの設定値は、分母の値を２のべき乗とし（ＳＴ２）、ＢＰＦ１３の中心周波数をＤＤＳ１２の入力周波数Ｆｉで除した値と近似するように分母と分子の値を設定する（ＳＴ３）。尚、ＦＴＷは、分母の値を大きくするとＢＰＦ１３の中心周波数に近づけることができるが、分子の値が最小分解能にも端数として現れるため、分母と分子を１に近い最小桁の正数にするのが好ましい。以下、具体的な数値例を示して説明する。尚、以下に説明する数値は一例であって、その数値に限定されるものではない。
【００４７】
ＤＤＳ１２の入力周波数Ｆｉ＝１．７４ＧＨｚ
ＢＰＦ１３の設計値＝１．０３ＧＨｚ〜１．１２ＧＨｚ
ＦＴＷの設定値＝５／８
ＤＤＳ１２の出力周波数Ｆｏ＝１．０８７５ＧＨｚ（２次高調波イメージ成分をＢＰＦ１３にて抽出) 
【００４８】
よって、前述した基本動作原理と異なり、ＤＤＳ１２の分周比が５／８となるため、ストローブ周期は、ストローブ周期［ｓ］＝１／（ストローブ周波数Ｆｓ）＝（１／Ｉ）×Ｐ×（８／５）×Ｍとなってしまい、たとえＭがパターン周期に同期していても、パターンにロックすることができない。そこで、変数Ｍに更に以下の条件を付け加えることを考える。
【００４９】
Ｍ：パターン長の倍数であり、かつＤＤＳ１２で設定した分周比の分子の値の倍数である。すなわち、可変分周器１１ａの分周比をパターン長の倍数、かつＤＤＳ１２で設定される分周比の分子の値の倍数に設定し（ＳＴ４）、ストローブ信号を生成する。そして、生成されたストローブ信号に基づくサンプリングタイミングでサンプラ３によりデータをシーケンシャル・サンプリングする（ＳＴ５）。
【００５０】
したがって、本実施の形態によれば、上述したようにＭ＝５×Ｎと表記することができるようになり、ストローブ周期［ｓ］＝１／（ストローブ周波数Ｆｓ）＝（１／Ｉ）×Ｐ×（８／５）×Ｍ＝（１／Ｉ）×Ｐ×（８／５）×５×Ｎ＝（１／Ｉ）×Ｐ×８×Ｎとなり、Ｎはパターン長の倍数であることに変化はないため、動作原理と同様に動作する。
【００５１】
ＤＤＳ１２の位相シフト量はＤＤＳ１２の出力周波数Ｆｏを基本として、例えば２14の位相分解能で位相を制御することができる。ＤＤＳ１２の出力信号周期は、ＤＤＳ１２の出力信号周期［ｓ］＝（１／Ｉ）×Ｐ×（８／５）となる。
【００５２】
１４ｂｉｔの位相シフト機能を用いると、本周期の２14倍の分解能で位相を調整可能であるため、最小分解能は、最小分解能［ｓ］＝ＤＤＳ出力信号周期／２14＝（１／Ｉ）×Ｐ×（８／５）×１／２14＝（１／Ｉ）×Ｐ×１／（２０４８×５）となる。
【００５３】
よって、ＤＤＳ１２の分周比に端数５を加えてしまったことで、最小分解能にも端数５が表れてしまう。ただし、ＤＤＳ１２の位相シフト機能を用いることで「１ＵＩを（２０４８×５）／Ｐサンプルで表現可能」となり、Ｐの前提条件は動作原理から変更なく２のべき乗である。よって、２０４８／Ｐは約分可能であり、その結果を５倍しても当然正数となる。よって、ＤＤＳ１２の位相シフト機能を用いることで１ＵＩを正数サンプルで表現できることになる。
【００５４】
一方で、一般的には１ＵＩは２のべき乗サンプル数で測定することが望ましい。よって、ＤＤＳ１２の位相シフト量を５倍に設定し、２のべき乗サンプル数で１ＵＩとなるよう調整することが一般的である。
【００５５】
このように、本実施の形態によれば、ＢＰＦ性能を急峻として通過周波数範囲を固定してもＤＤＳ設定及び最終段の可変分周器の分周比を最適化することで問題なく動作することができる。すなわち、従来のサンプリングオシロスコープにおける設定を踏襲しながら、Ｑ値が高く急峻なフィルタ特性を有する通過周波数範囲がオクターブ未満に固定のＢＰＦを用いることができ、最適なフィルタ設計及び設定が可能となり、残留ジッタを抑圧することができる。具体的な数値を示すと、特許文献１の従来構成と比較して、残留ジッタを８５０ｆｓｒｍｓ（０．８５ｐｓ）→４００ｆｓｒｍｓ（０．４ｐｓ）に改善することができた。
【００５６】
また、残留ジッタを抑圧するので、サンプラ３のスイッチング動作のタイミングずれを低減でき、より正確なデータのサンプリングを行うことができる。
【００５７】
以上、本発明に係るトリガ回路及びトリガ発生方法とサンプリングオシロスコープ及びサンプリング方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５８】
１  サンプリングオシロスコープ
２  トリガ回路
３  サンプラ
４  Ａ／Ｄ変換器
５  表示部
６  制御部
１１  周波数変換部
１１ａ  可変分周器
１１ｂ  周波数逓倍回路
１２  ＤＤＳ（ダイレクト・デジタル・シンセサイザ）
１３  ＢＰＦ（バンドパスフィルタ）
１４  可変分周器
Ｆｔ  トリガ入力周波数
Ｆｉ  ＤＤＳの入力周波数
Ｆｏ  ＤＤＳの出力周波数
Ｆｓ  ストローブ周波数
Ｈ１  ＤＤＳの入力可能範囲
Ｈ２  サンプラの動作可能範囲
【図１】
2018137681.tif 000003
【図２】
2018137681.tif 000004
【図３】
2018137681.tif 000005